(57)【特許請求の範囲】
【請求項１】
固定電話機と接続されるとともに、基地局と無線通信を行う通信装置であって、
前記通信装置を介した前記固定電話機による通話を可能とするための初期設定が行われていない場合に電源がオンになると、前記基地局から受信する電波の受信状況に基づいて、前記通信装置と前記基地局との通信品質を判定する判定部と、
前記通信品質が所定の品質を満たしていると前記判定部が判定すると、前記初期設定を行う初期設定部と、
を備える通信装置。
【請求項２】
前記判定部による判定結果を前記通信装置のユーザに通知する通知部をさらに備える、
請求項１に記載の通信装置。
【請求項３】
前記判定部は、前記初期設定が完了した後に前記通信品質を判定し、
前記通知部は、前記初期設定が完了した後に、前記通信品質が前記所定の品質を満たしていないと前記判定部が判定すると、前記通信装置のユーザに判定結果を通知する、
請求項２に記載の通信装置。
【請求項４】
前記基地局から受信する電波の受信状況を示すログ情報を記憶部に記憶させる記憶制御部と、
前記通信品質が所定の品質を満たしていないと前記判定部が判定すると、前記通信装置を管理する管理装置に、前記記憶部に記憶されている前記ログ情報を、前記基地局を介して送信する通信制御部とをさらに備える、
請求項１から３のいずれか１項に記載の通信装置。
【請求項５】
前記判定部は、前記初期設定が完了した後に前記通信品質を判定し、
前記通信制御部は、前記初期設定が完了した後に、前記通信品質が前記所定の品質を満たしていないと前記判定部が判定すると、前記管理装置に、前記記憶部に記憶されている前記ログ情報を送信する、
請求項４に記載の通信装置。
【請求項６】
前記通信制御部は、前記ログ情報の取得要求を受信すると、前記記憶部に記憶されている前記ログ情報を前記管理装置に送信する、
請求項４又は５に記載の通信装置。
【請求項７】
前記通信装置の位置を示す位置情報を取得する取得部と、
前記初期設定が完了した後に、前記通信装置の位置を管理する管理装置に前記位置情報を、前記基地局を介して送信する通信制御部とをさらに備える、
請求項１から６のいずれか１項に記載の通信装置。
【請求項８】
固定電話機と接続されるとともに、基地局と無線通信を行う通信装置と、前記通信装置を管理する管理装置とを備える通信システムであって、
前記通信装置は、
前記通信装置を介した前記固定電話機による通話を可能とするための初期設定が行われていない場合に電源がオンになると、前記基地局から受信する電波の受信状況に基づいて、前記通信装置と前記基地局との通信品質を判定する判定部と、
前記通信品質が所定の品質を満たしていると前記判定部が判定すると、前記初期設定を行う初期設定部と、
前記通信品質が所定の品質を満たしていないと前記判定部が判定すると、前記受信状況を示すログ情報を、前記基地局を介して前記管理装置に送信する通信制御部とを有し、
前記管理装置は、
前記通信装置から前記ログ情報を受信する受信部と、
受信された前記ログ情報を表示部に表示させる表示制御部とを有する、
通信システム。
【請求項９】
前記通信制御部は、前記初期設定が完了した後に、前記通信品質が前記所定の品質を満たしていないと前記判定部が判定すると、前記ログ情報を前記管理装置に送信し、
前記表示制御部は、前記通信装置において前記初期設定が完了した後に前記受信部が前記ログ情報を受信すると、前記通信装置における前記通信品質が前記所定の品質を満たしていないことを示す警告情報を前記表示部に表示させる、
請求項８に記載の通信システム。
【請求項１０】
コンピュータにより実行される、
基地局と無線通信を行う通信装置において自身を介した固定電話機による通話を可能とするための初期設定が行われていない場合に、前記通信装置の電源がオンになると、前記基地局から受信する電波の受信状況を特定するステップと、
前記電波の受信状況に基づいて、前記通信装置と前記基地局との通信品質を判定するステップと、
前記通信品質が所定の品質を満たしていると判定されると、前記初期設定を行うステップと、
を備える設定方法。
【請求項１１】
固定電話機と接続されるとともに、基地局と無線通信を行う通信装置を、
前記通信装置を介した前記固定電話機による通話を可能とするための初期設定が行われていない場合に電源がオンになると、前記基地局から受信する電波の受信状況に基づいて、前記通信装置と前記基地局との通信品質を判定する判定部、及び
前記通信品質が所定の品質を満たしていると前記判定部が判定すると、前記初期設定を行う初期設定部、
として機能させる設定プログラム。
【発明の詳細な説明】
【技術分野】
【０００１】
本発明は、通信装置、通信システム、設定方法及び設定プログラムに関する。
【背景技術】
【０００２】
携帯電話回線を介して通話等を行う携帯端末の利用を開始する場合、管理システムと通信を行い、当該携帯電話機への電話番号の付与等を行う初期設定が行われている（例えば、特許文献１参照）。
【先行技術文献】
【特許文献】
【０００３】
【特許文献１】特開２００９−１８１２８３号公報
【発明の概要】
【発明が解決しようとする課題】
【０００４】
近年、固定電話機と接続されるとともに、携帯電話回線を利用して無線通信を行う固定式の通信装置が普及しつつある。このような通信装置では、携帯端末と同様に初期設定を行うことにより電話番号が割り振られる。そして、通信装置は、自身に接続されている固定電話機を、当該電話番号が割り当てられた電話機として動作させることができる。
【０００５】
しかしながら、通信装置が、携帯電話回線の基地局が発信する電波が届きにくい位置に設置されると、基地局との通信状態が不安定となり、結果として、固定電話機による通話も不安定になってしまう。通信装置は、固定式であることから、一度設置されると、設置場所を変更しない限り、固定電話機による通話が不安定となり、ユーザが不満をかかえてしまうという問題があった。
【０００６】
そこで、本発明はこれらの点に鑑みてなされたものであり、自身に接続された固定電話機による安定した通話を実現することができる通信装置、通信システム、設定方法及び設定プログラムを提供することを目的とする。
【課題を解決するための手段】
【０００７】
本発明の第１の態様に係る通信装置は、固定電話機と接続されるとともに、基地局と無線通信を行う通信装置であって、前記通信装置を介した前記固定電話機による通話を可能とするための初期設定が行われていない場合に電源がオンになると、前記基地局から受信する電波の受信状況に基づいて、前記通信装置と前記基地局との通信品質を判定する判定部と、前記通信品質が所定の品質を満たしていると前記判定部が判定すると、前記初期設定を行う初期設定部と、を備える。
【０００８】
前記通信装置は、前記判定部による判定結果を前記通信装置のユーザに通知する通知部をさらに備えてもよい。
前記判定部は、前記初期設定が完了した後に前記通信品質を判定し、前記通知部は、前記初期設定が完了した後に、前記通信品質が前記所定の品質を満たしていないと前記判定部が判定すると、前記通信装置のユーザに判定結果を通知してもよい。
【０００９】
前記通信装置は、前記基地局から受信する電波の受信状況を示すログ情報を記憶部に記憶させる記憶制御部と、前記通信品質が所定の品質を満たしていないと前記判定部が判定すると、前記通信装置を管理する管理装置に、前記記憶部に記憶されている前記ログ情報を、前記基地局を介して送信する通信制御部とをさらに備えてもよい。
前記判定部は、前記初期設定が完了した後に前記通信品質を判定し、前記通信制御部は、前記初期設定が完了した後に、前記通信品質が前記所定の品質を満たしていないと前記判定部が判定すると、前記管理装置に、前記記憶部に記憶されている前記ログ情報を送信してもよい。
【００１０】
前記通信制御部は、前記ログ情報の取得要求を受信すると、前記記憶部に記憶されている前記ログ情報を前記管理装置に送信してもよい。
前記通信装置は、前記通信装置の位置を示す位置情報を取得する取得部と、前記初期設定が完了した後に、前記通信装置の位置を管理する管理装置に前記位置情報を、前記基地局を介して送信する通信制御部とをさらに備えてもよい。
【００１１】
本発明の第２の態様に係る通信システムは、固定電話機と接続されるとともに、基地局と無線通信を行う通信装置と、前記通信装置を管理する管理装置とを備える通信システムであって、前記通信装置は、前記通信装置を介した前記固定電話機による通話を可能とするための初期設定が行われていない場合に電源がオンになると、前記基地局から受信する電波の受信状況に基づいて、前記通信装置と前記基地局との通信品質を判定する判定部と、前記通信品質が所定の品質を満たしていると前記判定部が判定すると、前記初期設定を行う初期設定部と、前記通信品質が所定の品質を満たしていないと前記判定部が判定すると、前記受信状況を示すログ情報を、前記基地局を介して前記管理装置に送信する通信制御部とを有し、前記管理装置は、前記通信装置から前記ログ情報を受信する受信部と、受信された前記ログ情報を表示部に表示させる表示制御部とを有する。
【００１２】
前記通信制御部は、前記初期設定が完了した後に、前記通信品質が前記所定の品質を満たしていないと前記判定部が判定すると、前記ログ情報を前記管理装置に送信し、前記表示制御部は、前記通信装置において前記初期設定が完了した後に前記受信部が前記ログ情報を受信すると、前記通信装置における前記通信品質が前記所定の品質を満たしていないことを示す警告情報を前記表示部に表示させてもよい。
【００１３】
本発明の第３の態様に係る設定方法は、コンピュータにより実行される、基地局と無線通信を行う通信装置において自身を介した固定電話機による通話を可能とするための初期設定が行われていない場合に、前記通信装置の電源がオンになると、前記基地局から受信する電波の受信状況を特定するステップと、前記電波の受信状況に基づいて、前記通信装置と前記基地局との通信品質を判定するステップと、前記通信品質が所定の品質を満たしていると判定されると、前記初期設定を行うステップと、を備える。
【００１４】
本発明の第４の態様に係る設定プログラムは、固定電話機と接続されるとともに、基地局と無線通信を行う通信装置を、前記通信装置を介した前記固定電話機による通話を可能とするための初期設定が行われていない場合に電源がオンになると、前記基地局から受信する電波の受信状況に基づいて、前記通信装置と前記基地局との通信品質を判定する判定部、及び前記通信品質が所定の品質を満たしていると前記判定部が判定すると、前記初期設定を行う初期設定部、として機能させる。
【発明の効果】
【００１５】
本発明によれば、自身に接続された固定電話機による安定した通話を実現することができるという効果を奏する。
【図面の簡単な説明】
【００１６】
【図１】本実施形態に係る通信システムの概要を示す図である。
【図２】本実施形態に係る通信装置の構成を示す図である。
【図３】本実施形態に係る通信装置における処理の流れを示すフローチャートである。
【図４】本実施形態に係る通信装置において初期設定が完了した後の処理の流れを示すフローチャートである。
【発明を実施するための形態】
【００１７】
［通信システムＳの概要］
図１は、本実施形態に係る通信システムＳの概要を示す図である。通信システムＳは、通信装置１と、固定電話機２と、基地局３と、管理装置４とを備える。通信システムＳは、通信装置１に接続されている固定電話機２による、携帯電話回線を介した通話を可能にするためのシステムである。
【００１８】
通信装置１は、ユーザ宅に設置され、ユーザが使用する固定電話機２による携帯電話回線を介した通話を可能にする通信アダプタである。通信装置１は、例えば、ＬＴＥ（Long Term Evolution）等の携帯電話回線を介して基地局３と無線通信を行うことにより、自身に接続されている固定電話機２による、携帯電話回線を介した通話を可能にする。管理装置４は、通信装置１を管理するサーバであり、通信装置１をユーザに貸与する事業者によって使用される。
【００１９】
通信装置１は、利用開始時に基地局３から受信する電波の受信状況に基づいて、自身と基地局３との通信品質が所定の品質を満たしているか否かを判定する。通信装置１は、所定の品質を満たしていると判定すると、基地局３を介して通信装置１を管理する管理装置４との通信を行うことにより初期設定を行い、自身を介した固定電話機２による通話を可能にする。通信装置１は、所定の品質を満たしていないと判定すると、通信装置１の電源をオフにする。このようにすることで、ユーザは、通信品質が所定の品質を満たす位置において、通信装置１を利用可能にすることができる。これにより、通信装置１は、自身に接続された固定電話機２による安定した通話を実現させることができる。
以下、通信装置１の構成について説明する。
【００２０】
［通信装置１の構成例］
図２は、本実施形態に係る通信装置１の構成を示す図である。
通信装置１は、通信部１１と、無線部１２と、記憶部１３と、制御部１４とを備える。
通信部１１は、通信装置１に設けられたモジュラージャック（不図示）及び電話用の通信線を介して、通信装置１と接続されている固定電話機２と通信を行う。
【００２１】
無線部１２は、無線によって基地局３と通信を行う。具体的には、無線部１２は、制御部１４から出力された信号を変調してＲＦ（Radio Frequency）信号を生成し、アンテナ（不図示）を介して当該ＲＦ信号を無線送信する。無線部１２は、アンテナを介して受信したＲＦ信号を復調し、復調により得られた信号を制御部１４に出力する。
【００２２】
記憶部１３は、例えば、ＲＯＭ及びＲＡＭ等である。記憶部１３は、通信装置１を機能させるための各種プログラムを記憶する。例えば、記憶部１３は、通信装置１の制御部１４を、後述する判定部１４１、初期設定部１４２、通知部１４３、記憶制御部１４４、通信制御部１４５、及び取得部１４６として機能させる通信プログラムを記憶する。
【００２３】
制御部１４は、例えばＣＰＵである。制御部１４は、記憶部１３に記憶されている各種プログラムを実行することにより、通信装置１に係る機能を制御する。制御部１４は、判定部１４１と、初期設定部１４２と、通知部１４３と、記憶制御部１４４と、通信制御部１４５と、取得部１４６とを備える。
【００２４】
判定部１４１は、通信装置１を介した固定電話機２による通話を可能とするための初期設定が行われていない場合に、通信装置１の電源がオンになると、基地局３から受信する電波の受信状況に基づいて、通信装置１と、基地局３との通信品質を判定する。
【００２５】
例えば、記憶部１３には、初期設定が行われているか否かを示す初期設定フラグの値が記憶されている。ここで、初期設定が行われている場合、初期設定フラグの値は１であり、初期設定が行われていない場合、初期設定フラグの値は０である。判定部１４１は、電源がオンになると、記憶部１３に記憶されている初期設定フラグの値を参照することによって、初期設定が行われているか否かを判定する。
【００２６】
判定部１４１は、初期設定が行われていないと判定すると、無線部１２が基地局３から受信した参照信号の受信電力強度を示すＲＳＲＰ（Reference Signal Received Power）と、当該信号の信号対雑音干渉比を示すＳＩＮＲ（Signal to Noise Interference Ratio）とに基づいて、基地局３から受信する電波の受信状況を特定する。判定部１４１は、例えば、第１時間おき（例えば、３秒おき）に、最大で所定回数（例えば、１０回）電波の受信状況を特定する。ここで、判定部１４１は、ＲＳＲＰのみに基づいて、基地局３から受信する電波の受信状況を特定するようにしてもよい。
【００２７】
判定部１４１は、基地局３から受信する電波の受信状況に基づいて、通信装置１と基地局３との通信品質が所定の品質を満たしているか否かを判定する。例えば、判定部１４１は、ＲＳＲＰ及びＳＩＮＲが予め定められた回数（例えば、５回）連続して、所定の閾値を超えている場合に、通信品質が所定の品質を満たしていると判定する。なお、判定部１４１は、所定回数の電波の受信状況の特定のうち、ＲＳＲＰ及びＳＩＮＲが予め定められた回数以上所定の閾値を超えている場合に、通信品質が所定の品質を満たしていると判定してもよい。なお、以下の説明において、単に「通信品質」と呼ぶ場合には、通信装置１と基地局３との通信品質を示すものとする。
【００２８】
また、判定部１４１は、通信装置１の初期設定が完了した後にも継続して、基地局３から受信する電波の受信状況に基づいて、通信装置１と基地局３との通信品質を判定する。具体的には、判定部１４１は、初期設定が行われていると判定すると、第２時間おき（例えば、１０分おき）に、基地局３から受信する電波の受信状況を特定し、当該受信状況に基づいて、通信装置１と基地局３との通信品質を判定する。
【００２９】
初期設定部１４２は、通信品質が所定の品質を満たしていると判定部１４１が判定すると、初期設定を行う。初期設定部１４２は、以下の手順によって初期設定を行う。例えば、記憶部１３には、通信装置１を識別する装置ＩＤが記憶されており、初期設定部１４２は、基地局３を介して当該装置ＩＤを管理装置４に送信する。
【００３０】
管理装置４には、装置ＩＤと、通信装置１を使用するユーザの契約情報とを関連付けて記憶する記憶部が設けられている。管理装置４の制御部は、通信装置１から装置ＩＤを受信すると、当該装置ＩＤに関連付けられている契約情報を特定する。管理装置４の制御部は、契約情報に基づいて、通信装置１を使用するユーザとの契約が行われていると判定すると、装置ＩＤを送信した通信装置１に、通信装置１を利用可能にする許可情報を送信する。初期設定部１４２は、許可情報を受信したことに応じて、記憶部１３に記憶されている初期設定フラグの値を０から１に変更する。
【００３１】
ここで、通信装置１には、「０７０」等の携帯電話用の識別番号から始まる電話番号（以下、第１電話番号という。）が割り当てられている。また、通信装置１は、ユーザ宅に固定で設置されるものであることから、通信装置１には、「０３」や「０４５」等の市外局番から始まる電話番号（以下、第２電話番号という。）が関連付けられている。携帯電話回線には、通信装置１に割り当てられている第１電話番号を第２電話番号に変換する電話番号変換サーバ（不図示）が設けられており、通信装置１に接続された固定電話機２からの発信が行われると、通信装置１は、発信先の電話番号に、第２電話番号に変換するためのプレフィックス番号を付加して発信する。電話番号変換サーバは、当該プレフィックス番号が付加された発信を検出すると、発信元の電話番号を第１電話番号から第２電話番号に変換するとともに、発信先電話番号から当該プレフィックス番号を除去して、発信先電話番号に発信する。これにより、発信先には、発信元の電話番号として第２電話番号が通知される。
【００３２】
通知部１４３は、判定部１４１による判定結果を通信装置１のユーザに通知する。具体的には、通信装置１には、発光ダイオード等の発光部（不図示）が設けられており、通知部１４３は、発光部を点灯又は点滅させることにより基地局３から受信する電波の状態をユーザに通知する。なお、通知部１４３は発光部であることとしたがこれに限らない。例えば、通信装置１に設けられる各種の情報を表示する表示部であってもよい。この場合において、当該表示部には、基地局３から受信する電波の状態を示す情報が表示されてもよい。
【００３３】
例えば、通知部１４３は、判定部１４１による判定結果が、通信品質が所定の品質を満たしていることを示している場合、発光部を点灯させる。
また、通知部１４３は、初期設定が完了した後において、通信品質が所定の品質を満たしていないと判定部１４１が判定すると、発光部を点滅させることにより、通信装置１のユーザに、当該判定結果を通知する。
【００３４】
記憶制御部１４４は、基地局３から受信する電波の受信状況を示すログ情報を記憶部１３に記憶させる。具体的には、無線部１２が基地局３から受信した参照信号のＲＳＲＰと、ＳＩＮＲとを判定部１４１が特定すると、記憶制御部１４４は、ＲＳＲＰとＳＩＮＲとが特定された時刻を特定する。そして、記憶制御部１４４は、特定した時刻と、ＲＳＲＰと、ＳＩＮＲとを関連付けたログ情報を生成し、当該ログ情報を記憶部１３に記憶させる。ここで、記憶部１３には、例えば約３０日分のログ情報が記憶される。
【００３５】
通信制御部１４５は、通信品質が所定の品質を満たしていないと判定部１４１が判定すると、記憶部１３に記憶されているログ情報を取得し、基地局３を介して、当該ログ情報を管理装置４に送信する。具体的には、通信制御部１４５は、初期設定時において、通信品質が所定の品質を満たしていないと判定部１４１が判定すると、初期設定時に記憶部１３に記憶されたログ情報を、基地局３を介して管理装置４に送信する。
【００３６】
また、通信制御部１４５は、初期設定が完了した後において、管理装置４から、ログ情報の取得要求を受信すると、記憶部１３に記憶されているログ情報を、基地局３を介して管理装置４に送信する。例えば、通信装置１の通信品質が所定の品質を満たしておらず、通知部１４３によって、その旨がユーザに通知されると、ユーザは、管理装置４を使用する事業者に連絡する。事業者が、ユーザから通信装置１の装置ＩＤを聞き、当該装置ＩＤを管理装置４に入力するとともに、ログ情報の取得操作を行うと、管理装置４は、ログ情報の取得要求を通信装置１に送信する。
【００３７】
通信制御部１４５は、当該取得要求を受信すると、受信した時点から所定時間前（例えば、１日等）までに記憶部１３に記憶されたログ情報を管理装置４に送信する。管理装置４は、受信部として機能し、通信装置１から送信されたログ情報を受信する。そして、管理装置４は、表示制御部として機能し、受信されたログ情報を、管理装置４に設けられている表示部に表示させる。このようにすることで、管理装置４を使用する事業者は、当該ログ情報に基づいて、ユーザ宅に設置されている通信装置１の状態を確認することができ、通信装置１の設置場所を変更する等の支援をユーザに行うことができる。
【００３８】
なお、通信制御部１４５は、初期設定が完了した後に、通信品質が所定の品質を満たしていないと判定部１４１が判定すると、当該判定が行われた時点から所定時間前までに記憶部１３に記憶されたログ情報と、通信装置１の装置ＩＤとを、基地局３を介して管理装置４に自動的に送信するようにしてもよい。
【００３９】
この場合において、管理装置４の表示制御部は、受信した装置ＩＤに関連付けられている契約情報を参照し、通信装置１を使用しているユーザの情報（例えば、ユーザの氏名、電話番号等）を特定する。そして、管理装置４の表示制御部は、特定したユーザの情報を表示部に表示させるとともに、当該ユーザが使用している通信装置１における通信品質が所定の品質を満たしていないことを示す警告情報を自身の表示部に表示させる。このようにすることで、管理装置４を使用する事業者は、ユーザから連絡を受ける前に、ユーザ宅に設置されている通信装置１の状態を確認してユーザを支援することができる。
【００４０】
なお、管理装置４は、所定の品質を満たしていない通信装置１の装置ＩＤを記憶部に記憶しておき、複数の装置ＩＤのそれぞれに関連付けられているユーザの契約情報に基づいて、所定の品質を満たしていない複数の通信装置１が設置されている位置を特定してもよい。そして、管理装置４は、複数の通信装置１が設置されている位置に基づいて、基地局３からの電波が届きにくい地域を特定し、当該地域を示す情報を表示部に表示させるようにしてもよい。このようにすることで、管理装置４を使用する事業者は、基地局３からの電波が届きにくい地域を把握し、新たに基地局３を設置する際の検討材料とすることができる。
【００４１】
取得部１４６は、例えば、ＧＰＳ（Global Positioning System）を利用して、通信装置１の位置を示す位置情報を取得する。
通信制御部１４５は、初期設定部１４２による初期設定が完了した後に、管理装置４に、通信装置１の位置を示す位置情報を送信する。具体的には、通信制御部１４５は、初期設定部１４２による初期設定が完了したことに応じて、取得部１４６が取得した位置情報と、装置ＩＤとを、管理装置４に送信する。また、通信制御部１４５は、初期設定が完了した後に、所定時間おき（例えば１日おき）に、取得部１４６が取得した位置情報と、装置ＩＤとを、管理装置４に送信する。
【００４２】
管理装置４は、位置情報を受信すると、当該位置情報に対応する市外局番を特定する。また、管理装置４は、装置ＩＤと、第２電話番号とを関連付けて記憶部に記憶しており、受信した装置ＩＤに関連付けられている第２電話番号を特定する。管理装置４は、特定した第２電話番号に含まれている市外局番と、位置情報から特定した市外局番が一致しているか否かを判定する。管理装置４は、市外局番が一致していないと判定すると、管理装置４に設けられている表示部等に警告情報を表示させる。このようにすることで、管理装置４を使用する事業者は、ユーザが、通信装置１に関連付けられている第２電話番号に対応する地域で、当該通信装置１を使用していないことを把握して、ユーザに注意を促す等の適切な対応をとることができる。
【００４３】
［通信装置１における処理の流れ］
続いて、フローチャートを参照しながら、通信装置１における処理の流れについて説明する。まず、初期設定時の処理について説明する。図３は、本実施形態に係る通信装置１における初期設定時の処理の流れを示すフローチャートである。なお、本フローチャートに示す処理は、通信装置１の電源がオンになり、記憶部１３に記憶されている初期設定フラグの値が０、すなわち、初期設定が行われていない場合に開始されるものとする。
【００４４】
まず、判定部１４１は、基地局３から発信された電波の受信状況を特定する（Ｓ１）。
続いて、記憶制御部１４４は、特定された受信状況を示すログ情報を生成して、記憶部１３に記憶させる（Ｓ２）。
続いて、判定部１４１は、基地局３から受信する電波の受信状況に基づいて、通信装置１と基地局３との通信品質が所定の品質を満たすか否かを判定する（Ｓ３）。例えば、判定部１４１は、ＲＳＲＰ及びＳＩＮＲが予め定められた回数以上、所定の閾値を超えている場合に、通信品質が所定の品質を満たしていると判定する。判定部１４１は、所定の品質を満たすと判定すると、Ｓ４に処理を移し、所定の品質を満たしていないと判定すると、Ｓ６に処理を移す。
【００４５】
Ｓ４において、初期設定部１４２は、初期設定処理を実行する。具体的には、初期設定部１４２は、基地局３を介して通信装置１の装置ＩＤを管理装置４に送信する。管理装置４において通信装置１の利用が許可されると、初期設定部１４２は、管理装置４から、通信装置１の利用が許可されたことを示す許可情報を受信する。許可情報を受信すると、初期設定部１４２は、初期設定フラグの値を１に変更する。これにより、通信装置１が利用可能になる。
Ｓ５において、通信制御部１４５は、初期設定部１４２による初期設定が完了した後に、管理装置４に、初期設定が完了した時点における通信装置１の位置を示す位置情報を送信する。これにより、管理装置４において、通信装置１の位置が予め定められた地域に含まれているか否かを判定することができる。
【００４６】
Ｓ６において、判定部１４１は、電波の受信状況を所定回数特定したか否かを判定する。判定部１４１は、所定回数特定したと判定すると、Ｓ７に処理を移す。また、判定部１４１は、所定回数特定していないと判定すると、Ｓ１に処理を移す。
【００４７】
電波の受信状況の特定が所定回数繰り返されても通信品質が所定の品質を満たすと判定されなかった場合、通知部１４３が、発光部を点滅させることにより、通信装置１の位置における通信品質が所定の品質を満たさず、当該位置が適切ではない旨をユーザに通知するとともに、通信制御部１４５が、記憶部１３に記憶されたログ情報を基地局３を介して管理装置４に送信する（Ｓ７）。なお、通信制御部１４５は、通信品質が悪く、管理装置４にログ情報を送信できなかった場合には、通信品質が回復するまで待機してもよい。そして、通信制御部１４５は、通信品質が回復したことに応じて、当該ログ情報を管理装置４に送信するようにしてもよい。
制御部１４は、ログ情報の送信が完了すると、所定時間経過したのち、通信装置１の電源をオフにする（Ｓ８）。なお、制御部１４は、通信制御部１４５が、所定回数にわたってログ情報の送信に失敗した場合も通信装置１の電源をオフにする。
【００４８】
続いて、初期設定が完了した後の処理について説明する。図４は、本実施形態に係る通信装置１において初期設定が完了した後の処理の流れを示すフローチャートである。なお、本フローチャートに示す処理は、記憶部１３に記憶されている初期設定フラグの値が１、すなわち、初期設定が既に行われている場合に開始されるものとする。
【００４９】
Ｓ１１からＳ１３までの処理は、図３に示すＳ１からＳ３の処理と同じであるので説明を省略する。
Ｓ１３において、通信品質が所定の品質を満たすと判定されると、通知部１４３は、発光部を点灯させる（Ｓ１４）。
また、Ｓ１３において、通信品質が所定の品質を満たしていないと判定されると、通知部１４３は、発光部を点滅させる（Ｓ１５）。
【００５０】
続いて、通信制御部１４５は、管理装置４からログ情報の取得要求を受信したか否かを判定する（Ｓ１６）。通信制御部１４５は、ログ情報の取得要求を受信したと判定すると、Ｓ１７に処理を移し、記憶部１３に記憶されているログ情報を管理装置４に送信する。その後、通信制御部１４５は、Ｓ１１に処理を移す。
また、通信制御部１４５は、ログ情報の取得要求を受信していないと判定すると、Ｓ１１に処理を移す。
【００５１】
［本実施形態における効果］
以上のとおり、本実施形態に係る通信システムＳでは、通信装置１は、自身を介した固定電話機２による通話を可能とするための初期設定が行われていない場合に電源がオンになると、基地局３から受信する電波の受信状況に基づいて、通信装置１と基地局３との通信品質を判定し、当該通信品質が所定の品質を満たしていると判定すると、初期設定を行う。このようにすることで、通信装置１のユーザは、通信品質が所定の品質を満たす位置において、通信装置１を利用可能にすることができる。これにより、通信装置１は、自身に接続された固定電話機２による安定した通話を実現させることができる。
【００５２】
以上、本発明を実施の形態を用いて説明したが、本発明の技術的範囲は上記実施の形態に記載の範囲には限定されない。また、上記実施の形態に、多様な変更又は改良を加えることが可能であることが当業者に明らかである。例えば、上述の実施形態において、判定部１４１は、初期設定が完了した後に、第２時間おき（例えば、１０分おき）に、基地局３から受信した参照信号のＲＳＲＰと、ＳＩＮＲとを特定し、通信装置１と基地局３との通信品質を判定するとともに、記憶制御部１４４が、当該ＲＳＲＰとＳＩＮＲとを含むログ情報を記憶部１３に記憶させたが、これに限らない。判定部１４１は、例えば、第１時間おき（例えば、３秒おき）に通信品質を判定し、記憶制御部１４４が、第２時間おきにログ情報を記憶部１３に記憶させるようにしてもよい。この場合において、通知部１４３は、第１時間おきに、発光部を点灯させるか、点滅させるかを制御するようにしてもよい。
【００５３】
また、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。例えば、上述の実施形態では、管理装置４は一台であるものとして説明を行ったがこれに限らない。例えば、通信装置１の位置が適切な位置か否かを判定する機能と、通信装置１の初期設定に係る処理を行ったり、通信装置１のログ情報を受信したりする機能とを、それぞれ異なるサーバに設けるようにしてもよい。
【符号の説明】
【００５４】
１・・・通信装置、１１・・・無線部、１２・・・通信部、１３・・・記憶部、１４・・・制御部、１４１・・・判定部、１４２・・・初期設定部、１４３・・・通知部、１４４・・・記憶制御部、１４５・・・通信制御部、１４６・・・取得部、２・・・固定電話機、３・・・基地局、４・・・管理装置、Ｓ・・・通信システム
【図１】
0006510450.tif 000002
【図２】
0006510450.tif 000003
【図３】
0006510450.tif 000004
【図４】
0006510450.tif 000005